(57)【特許請求の範囲】
【請求項１】
外郭を構成する本体と、前記本体の上面に設けた天板と、前記天板の下方に設けられ被加熱物を加熱する加熱手段と、前記天板の下方に設けられ前記被加熱物を投入する調理容器の底面温度を検知する温度検知手段と、操作により制御命令が入力されるための操作手段と、前記制御命令に基づき前記加熱手段を制御する制御手段と、を備え、
前記操作手段には、前記制御命令により選択される自動制御モードである、ふきこぼれ防止コースを有し、
前記ふきこぼれ防止コースが選択された後、前記制御手段は、高出力で湯沸しする第３所定出力で加熱を開始し、
前記温度検知手段の検知結果である検知温度に基づき沸騰を検知すると、前記第３所定出力よりも小さな第４所定出力に変更し沸騰を維持し、
第１所定時間が経過すると、前記第４所定出力よりも小さな第５所定出力に変更し前記被加熱物の温度が沸騰温度より低下するように第２所定時間加熱するという前記第１所定時間の前記第４所定出力から前記第２所定時間の前記第５所定出力までの工程を繰り返すとともに、
前記制御手段には、加熱する前記調理容器である鍋の鍋種を判定する鍋種判定手段を備え、前記鍋種判定手段により判定した鍋種の熱伝導の速さ、及び前記温度検知手段の検知結果に基づく被加熱物の量により前記第４所定出力から前記第５所定出力までの工程の平均出力電力を変更する加熱調理器。
【請求項２】
前記操作手段には、水量選択手段を備え、加熱開始時に前記被加熱物の温度が高い場合には、前記水量選択手段によって選択された水量に基づき、前記制御手段は、前記第４所定出力から前記第５所定出力までの工程の平均出力電力を変更する請求項１に記載の加熱調理器。
【請求項３】
前記操作手段には、食材選択手段を備え、前記食材選択手段によって選択された前記被加熱物である調理物の食材の種類及び量に基づき、前記制御手段は、前記第４所定出力から前記第５所定出力までの工程の平均出力電力を変更する請求項１または２に記載の加熱調理器。
【請求項４】
前記加熱手段には、前記天板下方に加熱コイルを有し、前記被加熱物を入れた前記調理容器を誘導加熱する請求項１〜３のいずれか１項に記載の加熱調理器。
【請求項５】
表示手段を備え、前記操作手段によって選択された内容が前記表示手段に表示される請求項１〜４のいずれか１項に記載の加熱調理器。
【発明の詳細な説明】
【技術分野】
【０００１】
本発明は調理中のふきこぼれを防止することを可能とした加熱調理器に関するものである。
【背景技術】
【０００２】
従来、この種の加熱調理器は複数の温度測定手段と前記複数の温度測定手段の加熱量相対順位を記憶している加熱量相対順位記憶手段から突沸発生の可能性を読み取り、突沸の可能性に応じた加熱制御を行うことによって突沸現象を抑制し、ふきこぼれを防止するものであった（例えば、特許文献１参照）。また、専用容器と、前記専用容器の温度を検知して被調理物に合った下ゆで方法で下ごしらえするものもある（例えば、特許文献２参照）。いずれも、被加熱物の温度をもとにふきこぼれを予測して、加熱制御方法を変更するものであった。
【先行技術文献】
【特許文献】
【０００３】
【特許文献１】特開２００８−２３５２３６号公報
【特許文献２】特開２００９−２４５８４９号公報
【発明の概要】
【発明が解決しようとする課題】
【０００４】
しかしながら、前記従来の構成では、複数の温度測定手段と加熱量相対順位記憶手段を要し、構成が複雑であり、高価であるという課題を有していた。また、専用の加熱容器と加熱調理器本体が一体となっており、専用の調理容器が必要であり、専用容器に温度検知手段が必要であるという課題を有していた。
【０００５】
本発明は、前記従来の課題を解決するもので、専用の調理容器を必要とせず、簡単な構成でふきこぼれを防止できる加熱調理器を提供することを目的としている。
【課題を解決するための手段】
【０００６】
前記従来の課題を解決するために、本発明の加熱調理器は、外郭を構成する本体と、前記本体の上面に設けた天板と、前記天板の下方に設けられ被加熱物を加熱する加熱手段と、前記天板の下方に設けられ前記被加熱物を投入する調理容器の底面温度を検知する温度検知手段と、操作により制御命令が入力されるための操作手段と、前記制御命令に基づき前記加熱手段を制御する制御手段と、を備え、前記操作手段には、前記制御命令により選択される自動制御モードである、ふきこぼれ防止コースを有し、前記ふきこぼれ防止コースが選択された後、前記制御手段は、高出力で湯沸しする第３所定出力で加熱を開始し、前記温度検知手段の検知結果である検知温度に基づき沸騰を検知すると、前記第３所定出力よりも小さな第４所定出力に変更し沸騰を維持し、第１所定時間が経過すると、前記第４所定出力よりも小さな第５所定出力に変更し前記被加熱物の温度が沸騰温度より低下するように第２所定時間加熱するという前記第１所定時間の前記第４所定出力から前記第２所定時間の前記第５所定出力までの工程を繰り返すとともに、前記制御手段には、加熱する前記調理容器である鍋の鍋種を判定する鍋種判定手段を備え、前記鍋種判定手段により判定した鍋種の熱伝導の速さ、及び前記温度検知手段の検知結果に基づく被加熱物の量により前記第４所定出力から前記第５所定出力までの工程の平均出力電力を変更するものである。
【０００７】
これによって、一定時間毎に加熱出力を低下させることで、被加熱物の温度が一時的に下がるために、ふきこぼれの原因となり得る温度の過度な上昇を防ぐことができる。また、同じ入力でも鍋の温度や焦げやすさは異なるという課題を解決し、鍋種に適した加熱出力電力にすることができる。また、自動で被加熱容器中の量を検知し、被加熱物の量に適した加熱出力電力にすることができる。
【発明の効果】
【０００８】
本発明の加熱調理器は、簡単な構成でふきこぼれを防止することができ、また専用の調理容器を必要としないようにすることができる。
【図面の簡単な説明】
【０００９】
【図１】本発明の実施の形態１における加熱調理器の概略構成図
【図２】本発明の実施の形態１における操作手段の概略構成図
【図３】本発明の実施の形態１における調理容器底面温度と加熱出力の変化図
【図４】本発明の実施の形態２における操作手段の概略構成図
【図５】本発明の実施の形態３における操作手段の概略構成図
【発明を実施するための形態】
【００１０】
第１の発明は外郭を構成する本体と、前記本体の上面に設けた天板と、前記天板の下方に設けられ被加熱物を加熱する加熱手段と、前記天板の下方に設けられ前記被加熱物を投入する調理容器の底面温度を検知する温度検知手段と、操作により制御命令が入力されるための操作手段と、前記制御命令に基づき前記加熱手段を制御する制御手段と、を備え、前記操作手段には、前記制御命令により選択される自動制御モードである、ふきこぼれ防止コースを有し、前記ふきこぼれ防止コースが選択された後、前記制御手段は、高出力で湯沸しする第３所定出力で加熱を開始し、前記温度検知手段の検知結果である検知温度に
基づき沸騰を検知すると、前記第３所定出力よりも小さな第４所定出力に変更し沸騰を維持し、第１所定時間が経過すると、前記第４所定出力よりも小さな第５所定出力に変更し前記被加熱物の温度が沸騰温度より低下するように第２所定時間加熱するという前記第１所定時間の前記第４所定出力から前記第２所定時間の前記第５所定出力までの工程を繰り返すとともに、前記制御手段には、加熱する前記調理容器である鍋の鍋種を判定する鍋種判定手段を備え、前記鍋種判定手段により判定した鍋種の熱伝導の速さ、及び前記温度検知手段の検知結果に基づく被加熱物の量により前記第４所定出力から前記第５所定出力までの工程の平均出力電力を変更することにより、被加熱物の温度が一時的に下がるために、ふきこぼれの原因となり得る温度の過度な上昇を防ぐことができる。また、同じ入力でも鍋の温度や焦げやすさは異なるという課題を解決し、鍋種に適した加熱出力にすることができる。また、自動で被加熱容器中の量を検知し、被加熱物の量に適した加熱出力にすることができる。
【００１３】
第２の発明は、特に、第１の発明において、前記操作手段には、水量選択手段を備え、加熱開始時に前記被加熱物の温度が高い場合には、前記水量選択手段によって選択された水量に基づき、前記制御手段は、前記第４所定出力から前記第５所定出力までの工程の平均出力電力を変更することにより、水量に適した加熱出力にすることができる。特に、自動で被加熱容器中の量を検知する場合、加熱開始時から被加熱物の温度が高くて被加熱容器中の量を検知できなくなるので、水量を設定することで、前記課題が解消される。
【００１４】
第３の発明は、特に、第１または第２の発明において、前記操作手段には、食材選択手段を備え、前記食材選択手段によって選択された前記被加熱物である調理物の食材の種類及び量に基づき、前記制御手段は、前記第４所定出力から第５所定出力までの工程の平均出力電力を変更することにより、食材の種類に適した加熱出力にすることができる。
【００１５】
第４の発明は、特に、第１〜３のいずれか１つの発明において、前記加熱手段には、前記天板下方に加熱コイルを有し、前記被加熱物を入れた前記調理容器である鍋を誘導加熱することにより、正確な加熱出力の制御が可能となる。
【００１７】
第５の発明は、特に、第１〜４のいずれか１つの発明において、表示手段を備え、前記操作手段によって選択された内容が前記表示手段に表示されることにより、選択した調理モードや設定出力が使用者にわかりやすくすることができる。
【００１８】
以下、本発明の実施の形態について、図面を参照しながら説明する。なお、この実施の形態によって本発明が限定されるものではない。
【００１９】
（実施の形態１）
図１は本発明の第１の実施の形態における加熱調理器の概略構成図を示すものである。図２は操作手段３のスイッチキーの配置を示す図である。図３は調理容器底面温度と加熱出力の工程の変化図である。本体２は、上面を覆うトッププレート２ａが設けられる。トッププレート２ａにはタッチキーで構成される操作手段３が設けられている。トッププレート２ａの下部には、加熱調理器である誘導加熱調理器の加熱手段である加熱コイル４が設けられる。本体２内部には、加熱コイル４以外に加熱コイル４に高周波電流を供給する制御手段６が収納される。温度検知手段５はサーミスタまたは赤外線センサなどの温度検知素子でなり、加熱コイル４に対向するようにトッププレート２ａに載置された調理容器１の底面温度を検知する。表示手段８は液晶画面でなり、操作手段３により選択された内容が表示される。
【００２０】
以上のように構成された加熱調理器について、以下その動作、作用を説明する。
【００２１】
まず、被加熱物を入れた調理容器１が本体２上面に載置され、図示していない電源スイッチを押した状態で、使用者が、図２に示す操作手段３の制御モード選択キー３ｂを押すと、制御手段６の動作する制御モードを選択することができる。使用者が、例えば、制御モードである「加熱モード」を選択して、操作手段３の加熱開始キー３ａを押すと、加熱開始命令となる信号が制御手段６へ送られる。制御手段６は、加熱命令を入力すると高周波電流を加熱コイル４に高周波電流を供給してその加熱出力を制御することにより、調理容器１の底部に誘導電流を誘起してジュール熱により鍋底を誘導加熱する。ダウンキー３ｄ及びアップキー３ｃは加熱出力の設定を低減したり増加させたりするスイッチである。温度検知手段５は、検知した調理容器１底の温度情報を制御手段６に送る。制御手段６は時間計測手段７を備え、計測した時間情報を元に加熱コイル４による加熱出力制御を行なう。表示手段８は使用者が選択した加熱コースや加熱出力など、例えば、ふきこぼれ防止コース選択中、を表示する。
【００２２】
なお、操作手段３と温度検知手段５の位置は図１に限定されない。操作手段３は、使用者により制御命令を制御手段６に与える機能を備えればよい。温度検知手段５は、調理容器１の底面温度を測定できればよい。
【００２３】
次に、操作手段３により制御モード選択キー３ｂを押して「ふきこぼれ防止コース」が選択された場合の動作を以下に示す。図３は、「ふきこぼれ防止コース」に移行後の調理容器底面温度と加熱出力の変化図を示すものである。
【００２４】
まず、図３に示すように、「ふきこぼれ防止コース」が選択された後、加熱開始キーで加熱を開始すると、第３所定出力、例えば１８００Ｗで加熱を開始する。温度検知手段５は調理容器１中の温度上昇勾配を測定して、前記温度上昇勾配が所定値以下になると沸騰を検知する。制御手段６は、沸騰を検知すると、第４所定出力、例えば１５００Ｗで加熱を開始する（ｔ１）。時間計測手段７で計測される第１所定時間、例えば１５秒経過した後（ｔ２）、加熱出力を第４所定出力よりも小さな第５所定出力、例えば０Ｗに変更し、時刻ｔ２から時間計測手段７で計測される第２所定時間、例えば３秒が経過した後（ｔ３）、再び加熱出力を第４所定出力に変更し第１所定時間加熱する、という周期を繰り返す。
【００２５】
麺などをおいしく茹でるには、大量の湯を用いて、高温で加熱しながら、麺が互いに付着しないようにかき混ぜるのが良いとされている。麺を入れてから急激に温度低下が起こると、再沸騰に時間がかかり、糊化が遅くなり、麺表面の澱粉が溶け出し、ゆで水の粘度が高まってしまうためである。高温で加熱するには、出力は大きくするが、するとふきこぼれる可能性も高くなってしまう。そのため、通常麺などを加熱する時に、ふきこぼれる危険性を低くするには、出力を小さくするか、手でかき混ぜながら煮る必要があるが、出力を小さくすると、鍋内の対流が小さくなることで、かきまぜ効果が小さくなり、麺同士が密着してしまうことがある。そこで、第４所定出力は高出力でかきまぜ効果を保ったまま、第５所定出力で一時的に温度を低下させることで、調理性能を保ちながらふきこぼれを防止することができる。
【００２６】
以上のように、本実施の形態においてはふきこぼれ防止コースで加熱を開始すると、前記操作手段によって任意に選択された第４所定出力で加熱を開始し、第１所定時間が経過すると、前記第４所定出力よりも小さな第５所定出力で第２所定時間加熱する工程を繰り返すことにより、被加熱物の温度が一時的に下がるために、ふきこぼれの原因となり得る温度の過度な上昇を防ぐことができる。
【００２７】
なお、ふきこぼれ防止コースは加熱中にも機能のＯＮ／ＯＦＦを選択できるようにしてもよい。例えば、水が沸騰してから食材を投入し、食材の投入によって温度が低下した水が再沸騰してから、ふきこぼれ防止コースを選択した際には第４所定出力で加熱を開始する構成にする。この構成の場合には、ふきこぼれ防止コース選択時に水温が高温である場合でも、第３所定出力を省くことで、加熱開始後すぐにふきこぼれ防止機能が働くようにしている。
【００２８】
なお、鍋種判定手段によって判定した鍋種によって加熱出力を変更しても良い。例えば、第４所定出力を、熱伝導の遅いホーロー鍋は熱伝導の速いアルミ鍋よりも大きくすることで、鍋によるばらつきを小さくすることができる。
【００２９】
（実施の形態２）
図４は、本発明の実施の形態２における操作手段３のスイッチキーの配置を示すものである。図４において実施の形態１の図２と異なる点は、操作手段３は水量を選択できる水量キー３ｅを有することである。
【００３０】
以上のように構成された加熱調理器について、以下その動作、作用を説明する。
【００３１】
水量選択キー３ｅにより、水量を選択するための命令が制御手段６に入力されると、制御手段６は図３で示す第１所定時間に相当する第４所定出力と図３で示す第２の所定時間に相当する第５所定出力で加熱を行う工程の平均出力を変更する。第４または第５所定出力、第４または第５所定時間のいずれを変更しても良い。例えば、水量「１Ｌ」を選択すると、第４所定出力を１５００Ｗ、第４所定時間を２０秒、第５所定出力を０Ｗ、第５所定時間を５秒に設定する。または、水量「５００ｍＬ」を選択すると、第４所定出力を７００Ｗ、第４所定時間を１０秒、第５所定出力を０Ｗ、第５所定時間を３秒に設定する。これによって、各々の水量に適した加熱出力で調理ができる。
【００３２】
なお、表示手段８は、制御手段６が温度検知手段５によって検知した温度に基づいて制御手段６は第４所定出力と第５所定出力で加熱を行う工程の平均出力を変更しかねる時は「水量を選択してください」という旨を表示しても良い。これにより、被加熱物が調理開始の時点で高温であり、温度検知手段５の検知温度が変わらない場合でも、水量を選択することによって平均出力を各々の水量に適した加熱出力で調理ができる。
【００３３】
（実施の形態３）
図５は、本発明の実施の形態３における操作手段３のスイッチキーの配置を示すものである。図５において実施の形態１の図２と異なる点は、操作手段３は食材の種類を選択できる食材選択キー３ｆを有することである。
【００３４】
以上のように構成された加熱調理器について、以下その動作、作用を説明する。
【００３５】
食材選択キー３ｆにより、食材の種類及び量を選択するための命令が制御手段６に入力されると、制御手段６は図３で示す第１所定時間に相当する第４所定出力と図３で示す第２の所定時間に相当する第５所定出力で加熱を行う工程の平均出力を変更する。第４または第５所定出力、第４または第５所定時間のいずれを変更しても良い。例えば、「麺」を食材として、食材の量を「多量（４００ｇ）」として選択すると、第４所定出力を１８００Ｗ、第４所定時間を３０秒、第５所定出力を１００Ｗ、第５所定時間を５秒に設定する。「牛乳」を食材として、食材の量を「少量（１００ｇ）」として選択すると、第４所定出力を５００Ｗ、第４所定時間を１５秒、第５所定出力を５０Ｗ、第５所定時間を２秒に設定する。これによって、各々の食材及び量に適した加熱出力で調理ができる。
【産業上の利用可能性】
【００３６】
以上のように、本発明にかかる加熱調理器は、調理中のふきこぼれを防止することができるので、誘導加熱調理器、ガスコンロ、及びグリル鍋等の調理機器にも適用できる。
【符号の説明】
【００３７】
１  調理容器
２  本体
２ａ  トッププレート
３  操作手段
４  加熱コイル（加熱手段）
５  温度検知手段
６  制御手段
７  時間計測手段
８  表示手段
【図１】
0005750565.tif 000002
【図２】
0005750565.tif 000003
【図３】
0005750565.tif 000004
【図４】
0005750565.tif 000005
【図５】
0005750565.tif 000006